(57)【要約】本発明は、記録手段を使って、記憶媒体に対する第一のコピープロテクション情報を伴う情報信号を記録する方法及び装置であって、前記記録が、前記第一のコピープロテクション情報によって識別される第一のコピールールに従って実行される。前記方法は、前記第一のコピールールを識別する前記第一のコピープロテクション情報を検出するステップと、前記検出された第一のコピールールに従って、少なくとも第二のコピープロテクション情報を記録し、前記第一及び少なくとも第二のコピープロテクション情報が、読み取り手段によって解読されるべき合法性メッセージを識別するステップと、前記記憶媒体に信頼度の高い態様でスクリーニング情報を記録し、前記スクリーニング情報が、前記第一のコピープロテクションメッセージは読み取られたことを識別するステップとを有する。
2004533670.tif 000002
【特許請求の範囲】
【請求項１】
記録手段を使って、記憶媒体に対する第一のコピープロテクション情報を伴う情報信号を記録する方法であって、前記記録が、前記第一のコピープロテクション情報によって識別される第一のコピールールに従って実行され、
前記第一のコピールールを識別する前記第一のコピープロテクション情報を検出するステップと、
前記検出された第一のコピールールに従って、少なくとも第二のコピープロテクション情報を記録し、前記第一及び少なくとも第二のコピープロテクション情報が、読み取り手段によって解読されるべき合法性メッセージを識別するステップと、
前記記憶媒体に信頼度の高い態様でスクリーニング情報を記録し、前記スクリーニング情報が、前記第一のコピープロテクションメッセージは読み取られたことを識別するステップと
を有する方法。
【請求項２】
前記第二のコピープロテクション情報が、前記検出された第一のコピールールに従って、第三のコピープロテクション情報と組み合わせて記録され、前記第一のコピープロテクション情報並びに前記第二のコピープロテクション情報と前記第三のコピープロテクション情報との前記組み合わせが、前記読み取り手段によって解読されるべき前記合法性メッセージを識別する請求項１に記載の方法。
【請求項３】
前記第一のコピープロテクション情報が第一のウォータマークであり、前記第二のコピープロテクション情報が、暗号化されている情報信号又は暗号化されていない情報信号の何れかであり、前記情報信号の前記暗号化が、第一の予め規定された信頼レベルを有する第一の暗号化プロセスを使用して実行され、前記第三のコピー情報が第二のウォータマークである請求項２に記載の方法。
【請求項４】
前記スクリーニング情報は、前記記録手段のみがデータを記録し得る信頼度の高いチャネルにおいて、前記記憶媒体に記憶される請求項１乃至３の何れか一項に記載の方法。
【請求項５】
前記スクリーニング情報が、前記記憶媒体に記憶される前に第二の暗号化プロセスを使用して暗号化される請求項１乃至３の何れか一項に記載の方法。
【請求項６】
前記第二の暗号化プロセスが、少なくとも前記第一の信頼レベルに等しい信頼レベルを有する請求項５に記載の方法。
【請求項７】
前記スクリーニング情報が、前記情報信号の前記コンテンツに関するコンテンツ情報を更に有する請求項５又は６に記載の方法。
【請求項８】
前記コンテンツ情報が、前記記録されている情報信号の少なくとも一部のハシュである請求項７に記載の方法。
【請求項９】
前記スクリーニング情報が、前記記録媒体に前記情報信号を記録する前に、前記情報信号に付加されるウォータマークに記憶される請求項１乃至８の何れか一項に記載の方法。
【請求項１０】
前記スクリーニング情報を記憶する前記ウォータマークが破壊される請求項９に記載の方法。
【請求項１１】
情報信号を読み取る方法であって、前記情報信号が、
第一のコピープロテクション情報及び少なくとも第二のコピープロテクション情報から解読される合法性メッセージの存在を検出し、前記第二のコピープロテクション情報が記録手段によって付加されているステップと、
前記情報信号におけるスクリーニング情報を検出するステップと、
前記合法性メッセージ又は前記スクリーニング情報に従って、前記情報信号の前記合法性を判断するステップと
を有する方法。
【請求項１２】
前記合法性メッセージが、前記第二のコピープロテクション情報と前記第三のコピープロテクション情報との組み合わせから解読され、前記第二及び第三のコピープロテクション情報が記録手段によって付加されている請求項１１に記載の方法。
【請求項１３】
前記第一のコピープロテクション情報が第一のウォータマークであり、前記第二のコピープロテクション情報が、暗号化されている情報信号又は暗号化されていない情報信号の何れかであり、前記情報信号の前記暗号化が、第一の予め規定された信頼レベルを有する第一の暗号化プロセスを使用して実行され、前記第三のコピー情報が第二のウォータマークである請求項１２に記載の方法。
【請求項１４】
記録手段を使って、記憶媒体に対する第一のコピープロテクション情報を伴う情報信号を記録する装置であって、前記記録が、前記第一のコピープロテクション情報によって識別される第一のコピールールに従って実行され、
前記第一のコピールールを識別する前記第一のコピープロテクション情報を検出する手段と、
前記検出された第一のコピールールに従って、少なくとも第二のコピープロテクション情報を記録し、前記第一及び少なくとも第二のコピープロテクション情報が、読み取り手段によって解読されるべき合法性メッセージを識別する手段と、
前記記憶媒体に信頼度の高い態様でスクリーニング情報を記録し、前記スクリーニング情報が、前記第一のコピープロテクションメッセージは読み取られたことを識別する手段と
を有する装置。
【請求項１５】
情報信号を読み取る装置であって、前記情報信号が、第一のコピープロテクション情報及び少なくとも第二のコピープロテクション情報から解読される合法性メッセージの存在を検出し、前記第二のコピープロテクション情報が記録手段によって付加されている手段と、
前記情報信号におけるスクリーニング情報を検出する手段と、
前記合法性メッセージ又は前記スクリーニング情報に従って、前記情報信号の前記合法性を判断する手段と
を有する装置。
【請求項１６】
情報信号の記録又は読み取りのためのデバイスであって、請求項１４による記録への作用、及び／又は請求項１５による再生への作用をもたらすための装置を有するデバイス。
【請求項１７】
読み取り手段によって解読されるべき合法性メッセージを識別する第一及び少なくとも第二のコピープロテクション情報を伴う情報信号を記憶しており、前記情報信号がスクリーニング情報を更に有し、前記スクリーニング情報が信頼度の高い態様で記憶されている記憶媒体。
【発明の詳細な説明】
【０００１】
【発明の属する技術分野】
本発明は情報信号を記録するための方法及び装置に関し、本発明は情報信号を読み取るための方法及び装置にも関する。本発明は更に、情報信号の記録及び／又は読み取りをするためのデバイスに関する。
【０００２】
【従来の技術】
安価なディジタルＩＣ技術の普及により、マルチメディアコンテンツ（ビデオ及びオーディオ等）を保護するための二つの新たな方法、すなわち暗号化及びウォータマーキングが出現した。当該ツールは、ＣＤ及びビデオ用のＣＧＭＳコピービットと、ＶＣＲ用のマクロビジョンスポイラ信号（Ｍａｃｒｏｖｉｓｉｏｎ  ｓｐｏｉｌｅｒ  ｓｉｇｎａｌ）とのような既存のツールに追加されている。当該保護方法は、全て独自の長所短所を有しており、様々な組み合わせとして現在又は将来に渡って適用されるであろう。
【０００３】
ウォータマーク（ｗａｔｅｒｍａｒｋ）とは、マルチメディアコンテンツを有する情報／ホスト信号に組み込まれているか、付加されている目に見えないラベルのことである。前記ラベルは、例えば、著作権情報、コピープロテクション情報、及びコンテンツの所有者の名前を含んでいてもよい。記憶されてもよく、若しくはウォータマークに基づいて引き出されてもよい情報は、通常ペイロード（ｐａｙｌｏａｄ）と称され、ビットで表される。ほとんどのウォータマーク方式において、ウォータマークは、時間、空間、又は変換されたドメイン（例えば、フーリエ、離散コサイン、又はウェーブレットドメイン（Ｗａｖｅｌｅｔ  Ｄｏｍａｉｎ））の何れかにおけるホスト信号／情報信号に付加される擬似ランダム雑音シーケンス（ｐｎシーケンス）である。そのときウォータマーク検出は、通常、当該ウォータマークと前記組み込まれたホスト信号との間の相関に基づいている。
【０００４】
ウォータマークは、自身に関係するコンテンツが再生／記録された後、検出されると共に復号化され、興味深いリアルタイムの問題をもたらす。多くの人気の高いコピープロテクションシステムアーキテクチャは次の公理（ａｘｉｏｍ）に従っている。
１．アナログ（又は非暗号化ディジタル）ソースから記録するとき、入力コンテンツに、当該レコーダによって該コンテンツは一度コピーされてもよいことを示す一回コピー（ＣＯ）とウォータマーキングされているものの、第一のコピーの更なるコピーは一切許容されない場合、当該コンテンツに次のことが為されるであろう。
ａ）再マーキング化、すなわち、再度コピーされ得ないこと、つまり再コピー不可（ｃｏｐｙ−ｎｏ−ｍｏｒｅ（ＣＮＭ））を示す第二のウォータマークが付加されること。
ｂ）前記記憶媒体（テープ並びに光又は磁気ディスク）に転送される前の暗号化。例えば、ＤＶＤフォーラムのワーキンググループ９は、ディスクに記憶される間に一回コピー（ｃｏｐｙ−ｏｎｃｅ）コンテンツが暗号化されることを義務付けている。４Ｃ  ＣＰＳＡコピープロテクションアーキテクチャ（ＩＢＭ、インテル、松下、及び東芝による記憶媒体のためのコピープロテクション（Ｃｏｐｙ  Ｐｒｏｔｅｃｔｉｏｎ  ｆｏｒ  Ｒｅｃｏｒｄｅｄ  Ｍｅｄｉａ，  ｂｙ  ＩＢＭ，  Ｉｎｔｅｌ，  Ｍａｔｓｕｓｈｉｔａ，  Ｔｏｓｈｉｂａ））は別の例である。
【０００５】
前記コンテンツがＣＯとマーキングされるが、既に再マーキング（ＣＮＭ）されていた場合、該コンテンツが明らかに再度記録されないことは注意されるべきである。
２．コピー不可（ＣＮ）又はＣＮＭとしてウォータマーキングされているコンテンツは、記録されないであろう。
３．コピーフリー（ＣＦ）とウォータマーキングされているコンテンツ、又はウォータマーキングされていないデータは、更に暗号化されることなく記録されるであろう。このことは未だ公式な合意に至っていないが、標準化された状況を保っている。
４．再生器において、ＣＮＭ及びＣＮコンテンツは、記録担体（ｒｅｃｏｒｄ  ｃａｒｒｉｅｒ）に暗号化されるべきである。ＣＮＭ又はＣＮのウォータマークを伴う暗号化されていないコンテンツは、それ故に違法とみなされる。それによって、違法なコンテンツを伴うメディアの再生は不可能となり、違法なコンテンツは、例えばディスクにウォータマーキングされているコンテンツをダンプ（ｄｕｍｐ）する非準拠のレコーダを使用している違法者によって記録され得る。
５．ウォータマークは、暗号化されていないコンテンツ（再生及び記録）においてチェックされる必要があるのみである。
最近、屋内では自由にコピー可能であるが、屋外では、例えばインタネットを介して再送信されなくてもよいことを意味する“コピーフリー、インタネット再送信不可（Ｃｏｐｙ  Ｆｒｅｅ，  ｎｏ  ｉｎｔｅｒｎｅｔ  ｒｅｔｒａｎｓｍｉｓｓｉｏｎ（ＣＦＮＩＲ））”と称される、コンテンツの新たなカテゴリが規定されている。該コンテンツは、再マーキングステップのない、ＣＯコンテンツとして処理されるべきである。当該コンテンツに対して、次の公理が規定されている。
６．“コピーフリー、インタネット再送信不可”（ＣＦＮＩＲ）とウォータマーキングされているコンテンツは記録されてもよい。当該データは、記憶媒体（テープ並びに光又は磁気ディスク）に転送される前に暗号化されるであろう。
ＣＮＭ、ＣＮ，ＣＦ，及びＣＯに関するウォータマークにおける情報は、解読され、前記コンテンツを記録及び再生するとき公理に規定されているように使用される。
【０００６】
当該記載されている公理により、次の三種類のレコーダが扱われ得るべきである。すなわち、
準拠ＣＯイネーブル（Ｃｏｍｐｌｉａｎｔ  ＣＯ−ｅｎａｂｌｅｄ）。当該種類のレコーダにより、ＣＯ記録が為され得る。
準拠非ＣＯイネーブル（Ｃｏｍｐｌｉａｎｔ  ｎｏｔ  ＣＯ−ｅｎａｂｌｅｄ）。例えば公理１に従って再マーキング又は暗号化が為され得ないため、当該種類のレコーダにより、ＣＯコンテンツは記録され得ないが、ＣＮ又はＣＯの状態を認識するためのウォータマーク検出器を有している。
非準拠レコーダ（Ｎｏｎ−ｃｏｍｐｌｉａｎｔ  ｒｅｃｏｒｄｅｒ）。当該種類のレコーダは、偽造物（ｃｏｕｎｔｅｒｆｅｉｔｅｒ）又は従来デバイスによって変更されている。
【０００７】
ウォータマーク検出は、正常に検出する可能性を伴う統計に基づくプロセスであり、基礎的なコンテンツ（エッジロット（ｌｏｔ  ｏｆ  ｅｄｇｅ）及び高標準偏差等）、入力信号のＳ／Ｎ比（ｓｉｇｎａｌ  ｔｏ  ｎｏｉｓｅ  ｒａｔｉｏ（ＳＮＲ））、及び同期等の特性に大きく依存している。従って、一時的にウォータマークのビット落ち（ｄｒｏｐｏｕｔ）が発生してもよく、公理１によるＣＯコンテンツの記録の間、暗号化プロセスは中断されるであろう。
【０００８】
このことにより、最適なコンテンツ保護がもたらされないばかりでなく、再生中、暗号化されていないコンテンツの断続的なストレッチが消費者にとって大きな脅威となっている。上記の公理４において記載されているように、ウォータマーク検出器は、記録段階ばかりでなく再生中も動作する。ここでも前記検出プロセスの統計的な特性のために、前記レコーダ内の前記ウォータマーク検出器がＣＯウォータマークを識別していないところで、前記再生器内の前記検出器は暗号化されていないストレッチの一つにおけるＣＯウォータマークを識別する。全てのＣＯコンテンツは暗号化されるべきなので、公理４により、再生器がこのことを違法として解読しなければならず、再生を中止するよう指示されている。レコーダ及び再生器においてウォータマーク検出器が異なる動作をする可能性は高くないが、市場における大量のレコーダ及び再生器の場合、当該可能性は無視できない。
【０００９】
ＣＯとＣＦとの両方のコンテンツを暗号化することによって上記問題点を解消することが提案されている。ＣＦコンテンツも暗号化される場合、ウォータマーク検出のビット落ちは明らかに留意されている。ＳＤＭＩ市場において当該方式を採用している製造業者もいるが、消費者が、自分自身で製造したコンテンツを処理するためにさえ（例えば、ホームビデオ編集にはソフトウエアライセンスが必要）、準拠するソフトウエア（すなわち、解読キーを含む）を必要としていることは主な不利点である。暗号キーのライセンス代理業者がコンピュータプログラムをビデオ編集するためにキーを利用可能にするかどうかは明らかでなく、暗号化システムに不可欠な機密が露呈される可能性がある。
【００１０】
【発明が解決しようとする課題】
本発明の目的は、上記問題点を解消する方法を提供することにある。
【００１１】
【課題を解決するための手段】
当該目的は、記録手段を使って、記憶媒体に対する第一のコピープロテクション情報を伴う情報信号を記録する方法（及び対応する装置）であって、前記記録が、前記第一のコピープロテクション情報によって識別される第一のコピールールに従って実行され、
前記第一のコピールールを識別する前記第一のコピープロテクション情報を検出するステップと、
前記検出された第一のコピールールに従って、少なくとも第二のコピープロテクション情報を記録し、前記第一及び少なくとも第二のコピープロテクション情報が、読み取り手段によって解読されるべき合法性メッセージを識別するステップと、
前記記憶媒体に信頼度の高い態様でスクリーニング情報を記録し、前記スクリーニング情報が、前記第一のコピープロテクションメッセージは読み取られたことを識別するステップと
を有する方法（及び対応する装置）によって達成される。
【００１２】
本発明は、更に、情報信号を読み取る方法であって、前記情報信号が、
第一のコピープロテクション情報及び少なくとも第二のコピープロテクション情報から解読される合法性メッセージの存在を検出し、前記第二のコピープロテクション情報が記録手段によって付加されているステップと、
前記情報信号におけるスクリーニング情報を検出するステップと、
前記合法性メッセージ又は前記スクリーニング情報に従って、前記情報信号の前記合法性を判断するステップと
を有する方法（及び対応する装置）に関する。
【００１３】
本発明は、記録又は読み取りのためのデバイス、及び上記の情報信号にも関する。
【００１４】
本発明は、読み取り手段によって解読されるべき合法性メッセージを識別する第一及び少なくとも第二のコピープロテクション情報を伴う情報信号を記憶しており、前記情報信号が更にスクリーニング情報を有し、前記スクリーニング情報が信頼度の高い態様で記憶されている記憶媒体にも関する。
【００１５】
本発明によれば、コピープロテクション信号におけるビット落ちを伴う前記問題点を解消するために、情報信号を記録する方法が得られる。前記情報信号の合法性を判断するとき使用され得るスクリーニング情報を導入することによって当該問題点が解消される。前記スクリーニング情報は信頼度の高い態様で記憶される。それによって、ハッカーが前記情報にアクセスすることが困難となる。
【００１６】
【発明の実施の形態】
次に、本発明の好ましい実施例は、図を参照して記載されるであろう。
【００１７】
以下に記載の実施例において、第一のコピープロテクション情報はコピールールＣＦ（コピーフリー（Ｃｏｐｙ  Ｆｒｅｅ））、ＣＦＮＩＲ（コピーフリーインタネット再送信不可（Ｃｏｐｙ  Ｆｒｅｅ  Ｎｏ  Ｉｎｔｅｒｎｅｔ  Ｒｅｔｒａｎｓｍｉｓｓｉｏｎ）又はＣＯ（一回コピー（Ｃｏｐｙ  Ｏｎｃｅ））を識別するウォータマークである。第二のコピープロテクション情報は暗号化されている情報信号又は暗号化されていない情報信号であり、第三のコピー情報は、ＣＮＭ（更なるコピー不可（Ｃｏｐｙ  Ｎｏ  Ｍｏｒｅ））を示すウォータマークを表している。
【００１８】
図１は、情報信号におけるウォータマーク情報１０１を示しており、前記情報信号におけるコンテンツ１１２はウォータマークＣＦ（コピーフリー）を有しており、他のコンテンツ１１３はウォータマークＣＯ（一回コピー）を有している。当該図は、前記情報信号における情報の種類が変化するとき、ウォータマーク情報がどのように変化するかも示している。上記の公理１によれば、情報信号が記録されるとき、前記ＣＯコンテンツは暗号化（ＥＮＣ）され、ＣＮＭ（更なるコピー不可）とマーキングされるべきである。ＣＦコンテンツは、１０３に示されているように、クリアテキスト（ＣＴ）を保持するべきである。
【００１９】
図２は、ウォータマークのビット落ちを伴う図１における信号の記録の際、ウォータマーク検出器及び暗号化器のリアルタイム動作を示している。ＣＯコンテンツへの向きと、ＣＦコンテンツへ戻る向きとの間のＣＦコンテンツの遷移が示されており、例えばＣＦコンテンツ１１２はニュースとなり、ＣＯコンテンツ１１３は映画となり得る。ウォータマーク信号は２０１に示されており、記録されている情報信号の暗号化状態は２０３に示されている。２２５及び２２７において、ウォータマーク情報がＣＯとして検出されるべきところが、前記ウォータマークはＣＦとして検出されてしまい、それによって前記情報信号が公理３によって暗号化されていない。読み取り器はそのとき、記録されている情報を読み取り、２２５及び２２７において、ビット落ちしなくてもよく、それによって、前記情報信号は、暗号化されていない情報と検出されたＣＯコンテンツとの組み合わせのために、違法（ｉｌｌｅｇａｌ）とみなされる。
【００２０】
上記ビット落ちの問題は、全ての記録されているコンテンツ（ＣＦ又はＣＯの何れか）がチェックされたことを示す付加データを記録することによって解消される。前記付加データはスクリーニング情報と称され、暗号化されていないコンテンツにおけるＣＯウォータマークの場合、再生器は、当該情報を、（再生されてもよい）準最適な検出を伴う記録に起因するものとみなすために当該スクリーニング情報の存在を利用すると共に、（再生されるべきではない）ウォータマーク検出を伴わない非準拠の記録としてスクリーニング情報の不存在を利用する。本発明によれば、前記スクリーニング情報は、当該情報が存在することにより効果的に全ての再生制御（ｐｌａｙ−ｃｏｎｔｒｏｌ）が前記レコーダの記録制御における信頼性で置き換えられるため、当該スクリーニング情報が偽造者によってアクセス／変更されにくい態様で記憶されるべきである。
【００２１】
図３は、公理１による情報信号（ＩＳ）を記録すると共に、記録及び読み取り中にウォータマークのビット落ち検出に起因する問題を回避するために使用されるスクリーニング情報（ＳＩ）を更に付加する方法を示している。まず、３０３におけるウォータマーク（ＷＭ）が、３０１における情報信号（ＩＳ）内に検出される。３０５においてウォータマーク情報はＣＯであるか否かがチェックされ、ＣＯである場合、３１０においてウォータマーク更なるコピー不可（ＣＮＭ）が付加され、３１１において前記情報信号が暗号化され、前記付加されたウォータマークを有する前記暗号化された情報信号が３１３において記憶媒体に記録される。前記ウォータマーク情報がＣＯでない場合、３０７において前記ウォータマークがＣＦであるか否かがチェックされ、ＣＦである場合、前記情報信号は３１３においてクリアテキスト（ＣＴ）として暗号化されないで前記記憶媒体に記憶される。さもなければ、３０８において情報信号（ＩＳ）の更なる記録は中止される。最後に、例えば全ての情報信号が記録されたとき、３１５におけるスクリーニング情報は、３１３において前記記憶媒体に信頼度の高い態様で記憶される。
【００２２】
特定の実施例において、信頼度の高いチャネルにおけるＳＩを記録することによって前記スクリーニング情報を記録する信頼度の高い態様が実現され得る。前記チャネルはそのとき、ユーザが直接前記チャネルのコンテンツを処理できないというプロパティを有しているべきである。更に、前記信頼度の高いチャネルはコピープロテクションのみに合法的に使用されるべきである。それによって、消費者にとって手頃な、新たな機能を提供するという口実の下、ユーザに前記チャネルへの書き込みアクセス権を与える他の製造業者は、市場にレコーダを持ち込むことを阻止される。
【００２３】
特定の実施例において、前記信頼度の高いチャネルは、前記ウォータマークを検出するレコーダ内の回路のみが書き込み可能な、信頼度の高いサイドチャネル（ｓｉｄｅ  ｃｈａｎｎｅｌ）となり得る。当該サイドチャネルの例として、米国特許第５６６９４３４号に記載の、光媒体におけるチャネルコードの冗長性が挙げられ得る。他の実施例において、前記チャネルは、ＤＶＤ＋ＲＷ／ＤＶＤ−ＲＷ／ＤＶＤ−ＲＡＭディスクのセクタヘッダ（ｓｅｃｔｏｒ  ｈｅａｄｅｒ）における６“ＲＳＶ”バイトになり得る。
【００２４】
図４において、読み取り器は、前記スクリーニング情報を使用して、前記記録されている情報信号をどのように読み取るかが示されている。まず、４０３において、４０１における情報信号（ＩＳ）は暗号化されるか否かがチェックされ、暗号化される場合、前記情報信号は４０５において合法とされ、アクセス可能となる。暗号化されない場合、ウォータマークが４０７において検出される。４０９において、前記ウォータマーク情報は一つ又はそれ以上のＣＯ、ＣＮＭ、又はＣＮであるか否かがチェックされる。否となった場合、前記情報信号は４０５において合法とされる。ＣＯ、ＣＮＭ、又はＣＮとウォータマーキングされる場合、４１１において有効なスクリーニング情報（ＳＩ）は、前記情報信号を伝達する前記記憶媒体に存在するか否かがチェックされる。存在する場合、前記情報信号は合法とされるか、さもなければ違法とされ、４１３において処理され得なくなる（！ＯＫ）。
【００２５】
信頼度の高い態様で前記スクリーニング情報を記録する代わりの方法として、前記スクリーニング情報は暗号化される実施例がある。前記スクリーニング情報は、前記情報信号を暗号化するために使用されるシステムと同じ暗号化システムを使用して暗号化され得る。前記暗号化された情報は、この場合ユーザアクセス可能なファイルとして記憶され得る。次の、Ｉ．Ｊ．コックス及びＪ．−Ｐ．Ｍ．Ｇ．リナーツによるＩＥＥＥ  Ｊ．セレクト、通信分野１６、５８７乃至５９３頁（１９９８年）（Ｉ．Ｊ．Ｃｏｘ  ａｎｄ  Ｊ．−Ｐ．Ｍ．Ｇ．Ｌｉｎｎａｒｔｚ，ＩＥＥＥ  Ｊ．Ｓｅｌｅｃｔ，Ａｒｅａｓ  Ｃｏｍｍ．１６，ｐｐ．５８７−５９３（１９９８））に記載されている“スクランブリングハック（ｓｃｒａｍｂｌｉｎｇ  ｈａｃｋ）”のために、前記スクリーニング情報の暗号化が前記情報信号の暗号化よりも正確である必要はない。偽造者がコンテンツ暗号化システム（例えば、ＣＰＲＭ）をハッキングした場合、前記偽造者は、非準拠のレコーダを使用して違法コンテンツを暗号化すると共に記憶することによって、自身が所望する全てのコンテンツをコピーし得る。公理５のために、ウォータマーク検出はないであろう。
【００２６】
図５は、公理１により情報信号（ＩＳ）を記録し、更にスクリーニング情報（ＳＩ）を暗号化すると共に付加する方法を示している。まず、５０３におけるウォータマーク（ＷＭ）が、５０１における情報信号（ＩＳ）において検出される。５０５において、ウォータマーク情報はＣＯであるか否かがチェックされ、ＣＯである場合、５０９においてウォータマーク更なるコピー不可（ＣＮＭ）が付加され、５１１において前記情報信号が暗号化され、前記付加されたウォータマークを有する前記暗号化された情報信号が５１３において記憶媒体に記録される。前記ウォータマーク情報がＣＯでない場合、５０７において前記ウォータマークはＣＦであるか否かがチェックされ、ＣＦである場合、前記情報信号は５１３においてクリアテキストとして暗号化されないで前記記憶媒体に記憶される。さもなければ、５０８において情報信号（ＩＳ）の更なる記録は中止される。最後に、全ての情報信号が記録されたとき、５１７におけるスクリーニング情報は、５１５においてまず暗号化され、前記記憶媒体に記憶される。
【００２７】
前記スクリーニング情報の暗号化は、前記情報が属する前記情報信号のハシュ又はディジタルサマリを含み得る。それによって、前記暗号化されたスクリーニング情報は特定の情報信号に対して一意に決まり、従って前記情報は再度利用され得ないことが達成される。このことにより、非準拠のレコーダを使用すると共に合法的な記録から“コピーアンドペースト（ｃｏｐｙ−ａｎｄ−ｐａｓｔｉｎｇ）”することによって必要なスクリーニング情報を付加してハッカーが媒体に違法コンテンツを入力することは防止される。前記ハシュにより前記スクリーニング情報は特定のコンテンツに関係付けられ、“再利用”が禁止される。特定の実施例において、前記記録担体のシリアル番号が前記ハシュに関係付けられるであろう。これにより、非準拠の記録において準拠の記録のビットコピー（ｂｉｔ−ｃｏｐｙ）が防止される。
【００２８】
好ましい実施例において、前記ハシュ情報は、記録前に前記情報信号に付加されるハシュウォータマークに入力される。
【００２９】
図６は、公理１により情報信号（ＩＳ）を記録し、前記記録された情報信号におけるウォータマークとしてスクリーニング情報（ＳＩ）及びハシュ情報を更に暗号化すると共に付加する方法を示している。まず、６０３におけるウォータマーク（ＷＭ）が、６０１における情報信号（ＩＳ）において検出される。それから、６０４において、好ましくは６０１における情報信号ＩＳに依存しているスクリーニング情報がハシュウォータマーク（ＨＡ＿ＷＭ）に組み込まれる。当該ハシュウォータマークは情報信号に付加される。前記ハシュウォータマークは、適用可能な場合、暗号化前に実行されるのであれば、更に下流で付加されてもよい。
【００３０】
６０５においてウォータマーク情報はＣＯであるか否かがチェックされ、ＣＯである場合、６０９においてウォータマーク更なるコピー不可（ＣＮＭ）が付加され、６１１において前記情報信号が暗号化される。ウォータマークＣＮＭとハシュウォータマークとの両方を有する前記暗号化された情報信号が６１３において記憶媒体に記録される。前記ウォータマーク情報がＣＯでない場合、６０７において前記ウォータマークはＣＦであるか否かがチェックされ、ＣＦである場合、前記ハシュウォータマークを有する前記情報信号は６１３において前記記憶媒体にクリアテキストとして暗号化されずに記憶される。
【００３１】
前記ハシュウォータマークは、再生後使用されないので、フラジール（ｆｒａｇｉｌｅ）され得るし、破壊されるべきである。前記ハシュウォータマークは、コンテンツに依存したペイロードを伝達すべきなので、当該フラジールなマークは“揮発性”でなく、違法者がコピーしたがる全てのコンテンツに付加されない。
【図面の簡単な説明】
【図１】
情報信号におけるウォータマーク情報１０１を示している。
【図２】
ウォータマークのビット落ちを伴う図１における信号の記録時におけるウォータマーク検出器及び暗号化器のリアルタイムの動作を示している。
【図３】
公理１による情報信号（ＩＳ）を記録する方法及びスクリーニング情報（ＳＩ）を更に付加する方法を示している。
【図４】
前記スクリーニング情報を使用して前記記録されている情報信号を読み取り器が読み取る態様を示している。
【図５】
公理１による情報信号（ＩＳ）を記録する方法と、スクリーニング情報（ＳＩ）を更に暗号化すると共に付加する方法とを示している。
【図６】
公理１による情報信号（ＩＳ）を記録する方法と、スクリーニング情報（ＳＩ）及び前記記録されている情報信号におけるウォータマークとしてのハシュ情報を更に暗号化すると共に付加する方法とを示している。
【国際公開パンフレット】
2004533670.tif 000003
2004533670.tif 000004
2004533670.tif 000005
2004533670.tif 000006
2004533670.tif 000007
2004533670.tif 000008
2004533670.tif 000009
2004533670.tif 000010
2004533670.tif 000011
2004533670.tif 000012
2004533670.tif 000013
2004533670.tif 000014
2004533670.tif 000015
2004533670.tif 000016
2004533670.tif 000017
2004533670.tif 000018
2004533670.tif 000019
2004533670.tif 000020
【国際公開パンフレット（コレクトバージョン）】
2004533670.tif 000021
【国際調査報告】
2004533670.tif 000022
2004533670.tif 000023